(57)【要約】【課題】香りや除臭などの作用を具えた泡で洗浄することができる衛生設備に泡洗浄用の泡を設ける方法を提供する。【解決手段】  衛生設備内の底部に適宜な厚さを具えた泡を敷き詰めて設ける方法であって、該泡が衛生的な特性を具え、トイレの使用時の汚物による汚れ、細菌発生による臭い、洗浄時の視覚的な不愉快さを防ぎ、衛生設備内を洗浄、潤滑、消毒、除菌する作用を具えてなる。【選択図】  図１
2008115688.tif 000002
【特許請求の範囲】
【請求項１】
衛生設備内の底部に適宜な厚さを具えた泡を敷き詰めて設ける方法であって、
該泡が衛生的な特性を具え、トイレの使用時の汚物による汚れ、細菌発生による臭い、洗浄時の視覚的な不愉快さを防ぎ、衛生設備内を洗浄、潤滑、消毒、除菌する作用を具えてなることを特徴とする衛生設備に泡洗浄用の泡を設ける方法。
【請求項２】
前記泡洗浄用の泡がさまざまな芳香剤、除臭剤、洗浄剤、消毒剤を加えてなることを特徴とする請求項１に記載する衛生設備に泡洗浄用の泡を設ける方法。
【請求項３】
衛生設備内の底部に適宜な厚さを具えた泡を敷き詰めて設ける方法であって、
該泡が衛生的な特性を具え、トイレの使用時の汚物による汚れ、細菌発生による臭い及び洗浄時の視覚的な不快さを防ぐとともに、衛生設備の洗浄、潤滑、消毒、除菌に供することができ、
輸送手段や噴射手段を介してコントローラーで制御し、水と泡形成剤とを混合して該液体を輸送して便器内、内側底部に噴射して泡を敷き詰めるように設けることを特徴とする衛生設備に泡洗浄用の泡を設ける方法。
【請求項４】
衛生設備内の底部に適宜な厚さを具えた泡を敷き詰めて設ける方法であって、
該泡が衛生的な特性を具え、トイレの使用時の汚物による汚れ、細菌により臭い、洗浄時の視覚的な不愉快さを防ぐとともに、衛生設備の洗浄、潤滑、消毒、除菌に供することができ、泡形成剤を直接便器の底部にはられた水に噴射して泡を形成して設けることを特徴とする衛生設備に泡洗浄用の泡を設ける方法。
【発明の詳細な説明】
【技術分野】
【０００１】
この発明は、衛生設備に泡洗浄用の泡を設ける方法に関し、特に便器などの衛生設備を泡状の洗浄剤で泡洗浄する場合の衛生設備に泡洗浄用の泡を設ける方法に関する。
【背景技術】
【０００２】
現在の衛生関連設備の多くは、表面に汚れが残り難いように洗浄水で予め湿らせて、使用後に水洗浄する、貯水タンク内に洗浄用の消毒薬を入れておいて使用後に洗浄するとともに、便器の底部に予め水を入れておいて臭いを防ぐなどしている。
【０００３】
しかしながら、トイレを使用する場合、排泄物が便器の水に落ちると、度々水がはね返り汚れが付着し、汚物の臭いが空気や人体にまで拡散する。また、洗浄時、洗浄水だけでは汚れを取り除くことができず、汚れにより使用者が不快になるとともに、臭いにおいが発生する。さらに、前述の洗浄方法では衛生設備の洗浄面での死角が発生し、細菌などが繁殖する。
【発明の開示】
【発明が解決しようとする課題】
【０００４】
この発明は香りや除臭などの作用を具えた泡で洗浄することができる衛生設備に泡洗浄用の泡を設ける方法を提供することを課題とする。
【課題を解決するための手段】
【０００５】
そこで、本発明者は従来の技術に見られる欠点に鑑みて鋭意研究を重ねた結果、衛生設備内の底部に適宜な厚さを具えた泡を敷き詰めて設ける方法であって、該泡が衛生的な特性を具え、トイレの使用時の汚物による汚れ、細菌発生による臭い、洗浄時の視覚的な不愉快さを防ぎ、衛生設備内を洗浄、潤滑、消毒、除菌する作用を具えてなる衛生設備に泡洗浄用の泡を設ける方法によって課題を解決できる点に着眼し、かかる知見に基づいて本発明を完成させた。
【０００６】
以下、この発明について具体的に説明する。
請求項１に記載の衛生設備に泡洗浄用の泡を設ける方法は、衛生設備内の底部に適宜な厚さを具えた泡を敷き詰めて設ける方法であって、該泡が衛生的な特性を具え、トイレの使用時の汚物による汚れ、細菌発生による臭い、洗浄時の視覚的な不愉快さを防ぎ、衛生設備内を洗浄、潤滑、消毒、除菌する作用を具えてなる。
【０００７】
請求項２に記載の衛生設備に泡洗浄用の泡を設ける方法は、請求項１における泡洗浄用の泡がさまざまな芳香剤、除臭剤、洗浄剤、消毒剤を加えてなる。
【０００８】
請求項３に記載の衛生設備に泡洗浄用の泡を設ける方法は、衛生設備内の底部に適宜な厚さを具えた泡を敷き詰めて設ける方法であって、
該泡が衛生的な特性を具え、トイレの使用時の汚物による汚れ、細菌発生による臭い及び洗浄時の視覚的な不快さを防ぐとともに、衛生設備の洗浄、潤滑、消毒、除菌に供することができ、
輸送手段や噴射手段を介してコントローラーで制御し、水と泡形成剤とを混合して該液体を輸送して便器内、内側底部に噴射して泡を敷き詰めるように設ける。
【０００９】
請求項４に記載の衛生設備に泡洗浄用の泡を設ける方法は、衛生設備内の底部に適宜な厚さを具えた泡を敷き詰めて設ける方法であって、
該泡が衛生的な特性を具え、トイレの使用時の汚物による汚れ、細菌により臭い、洗浄時の視覚的な不愉快さを防ぐとともに、衛生設備の洗浄、潤滑、消毒、除菌に供することができ、泡形成剤を直接便器の底部にはられた水に噴射して泡を形成して設ける。
【発明の効果】
【００１０】
この発明による衛生設備に泡洗浄用の泡を設ける方法は、衛生設備の清潔さ、衛生環境及び品質を高めるという効果を有する。
【発明を実施するための最良の形態】
【００１１】
この発明は、香りや除臭などの作用を具えた泡で洗浄することができる衛生設備に泡洗浄用の泡を設ける方法であって、
衛生設備内の底部に適宜な厚さを具えた泡を敷き詰めて設ける方法であって、該泡が衛生的な特性を具え、トイレの使用時の汚物による汚れ、細菌発生による臭い、洗浄時の視覚的な不愉快さを防ぎ、衛生設備内を洗浄、潤滑、消毒、除菌する作用を具えてなる。
かかる衛生設備に泡洗浄用の泡を設ける方法と特徴を詳述するために具体的な実施例を挙げ、図示を参照にして以下に説明する。
【実施例】
【００１２】
この発明の泡洗浄用の泡を設ける方法は図１に開示するように、泡形成剤１０を直接、便器内の底部にはられた水１１の中に設けるか、或いは泡形成剤１０を容器１２に入れて容器１２内の水と混合してから便器内に入れて、便器の底部にはられた水１１の表面に厚さを具えた泡洗浄用の泡１３を設けるか、或いは泡形成剤１０を専用の容器１４に入れ、該容器１４のノズル１５から直接便器内の底部にはられた水１１の表面に泡１６を噴射して適宜な厚さを具えた泡洗浄用の泡１３を敷き詰める。
【００１３】
先述のものはいずれも、泡洗浄用の泡を設けるための簡単で便利な方法である。また、輸送手段１７を設けて水流１８をガイドするとともに、コントローラー１９を設けて水流１８を制御し、泡形成剤１０と水流１８の水とを混合し、水流１８の流動エネルギー（或いは電動）で輸送手段１７を介して噴射手段２０に送り、該噴射手段２０から直接便器内及び便器内の底部に噴射して洗浄、消毒、除臭、細菌の繁殖防止、芳香、衛生設備の潤滑などに供するとともに、便器内の底部にはられた水１１の表面に適宜な厚さを具えた泡洗浄用の泡１３を設けてもよい。
【００１４】
先述の方法は泡洗浄用の泡を設ける実施形態を示したものである。トイレを使用する場合、図２に開示するように、適宜な厚さを具えた泡洗浄用の泡１３は、排泄物の付着及び排泄物が便器内の底にはられた水に落ちる時に水がはねて発生する汚れ２１を防ぐことができる。また、便器内の底部にはられた水１１の表面の排泄物と空気との接触を隔離するため、細菌の発生や排泄物の臭い２２が拡散することを防ぐことができる。
【００１５】
また、該泡は、トイレの洗浄時に貯水タンクから流れてくる洗浄用の水と便器内の汚水とがぶつかり合う場合の衝撃を緩和するため、洗浄用の水の飛散による汚れ２３を防ぐとともに、洗浄時に使用者が汚れを見て不快になるような視覚的な不愉快さや、細菌による臭い２２の拡散を防いで衛生的な効果を高めることができる。
【００１６】
さらに、泡形成剤に芳香剤、除臭剤、洗浄剤、消毒剤などを加えることができる。
【００１７】
上述の方法はいずれもトイレの使用時の衛生的な作用を確実で有効にするもので、排泄物の状態を確認しなければならない使用者がトイレを使用する場合には、一時的に使用しない状態にすることもできる。
【００１８】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の請求の範囲に属するものとする。
【図面の簡単な説明】
【００１９】
【図１】この発明の衛生設備に泡洗浄用の泡を設ける方法の実施形態を示した説明図である。
【図２】この発明の衛生設備に泡洗浄用の泡を設ける方法を便器に設けて使用する状態を示した説明図である。
【符号の説明】
【００２０】
１０     泡形成剤
１１     水
１２     容器
１３     泡
１４     容器
１５     ノズル
１６     泡
１７     輸送手段
１８     水流
１９     コントローラー
２０     噴射手段
２１     汚れ
２２     臭い
２３     汚れ
【図１】
2008115688.tif 000003
【図２】
2008115688.tif 000004